(57)【要約】【課題】中本と表紙が別々の経路で供給されそこで各表紙が背部領域で１つの中本と結合される加工装置を設ける、中本と表紙とからなる印刷製品を製造する方法において、最少発行部数または単一の生産においても低コストな製造を可能にする。【解決手段】加工装置（４）に中本（２）と表紙（３，３′，３″）が別々の経路で供給される。加工装置（４）内において各表紙（３，３′，３″）がそれぞれ１つの中本（２）と背部領域で結合される。中本（２）と表紙（３，３′，３″）は加工装置（４）の手前で識別される。貯蔵器（Ｓ，Ｓ′）が複数のポケット（１０）を備え、その中に表紙（３，３′，３″）が精密な位置をもって給入される。【選択図】図１
2008023996.tif 000002
【特許請求の範囲】
【請求項１】
中本（２）と表紙（３，３′，３″）が別々の経路で供給されそこで各表紙（３，３′，３″）がそれぞれ１つの中本（２）と背部領域で結合される加工装置（４）を設けてなる、中本（２）と表紙（３，３′，３″）からなる印刷製品（３７）を製造する方法であり、表紙（３，３′，３″）が加工装置（４）への搬送路上において複数のポケット（１０，２４）を有する貯蔵器（Ｓ，Ｓ′）のそれぞれ特定のポケット（１０，２４）に制御して給入され、ここで１つのポケット（１０，２４）内には１部の表紙（３，３′，３″）のみが給入されることを特徴とする方法。
【請求項２】
表紙（３，３′，３″）および／または中本（２）が仮想制御して貯蔵器（Ｓ，Ｓ′）に供給されることを特徴とする請求項１記載の方法。
【請求項３】
表紙（３，３′，３″）が貯蔵器（Ｓ，Ｓ′）の手前で検出装置（１８，２３）によって識別されることを特徴とする請求項１記載の方法。
【請求項４】
表紙（３，３′，３″）がその識別のためにいずれも例えばバーコード等の指標を備えていることを特徴とする請求項１ないし３のいずれかに記載の方法。
【請求項５】
ポケット（２４）が搬入推進装置（１４）と搬出推進装置（１５）の間で移動可能であり、空のポケット（１０，２４）は補填のために制御して搬出推進装置（１５）から搬入推進装置（１４）に向かって移動されることを特徴とする請求項１ないし４のいずれかに記載の方法。
【請求項６】
各ポケット（１０）が共通の軸（１１）周りで回転可能であることを特徴とする請求項５記載の方法。
【請求項７】
中本の製造を行う印刷機に対して印刷タスクを付勢するために表紙の指標を適用することを特徴とする請求項１ないし６のいずれかに記載の方法。
【請求項８】
表紙（３″）がそれぞれ１つの中本（２）の背部に固定される加工装置（４）と、中本（２）を加工装置（４）に給入するための第１の入力ステーション（５）と、表紙（３，３′，３″）を加工装置（４）に給入するための第２の入力ステーション（６，６′）を備えてなる、請求項１ないし７のいずれかに記載の方法を実施する装置であり、第２の入力ステーション（６，６′）がそれぞれ表紙（３，３′，３″）を収容するための複数のポケット（１０，２４）を有する貯蔵器（Ｓ，Ｓ′）を備え、貯蔵器（Ｓ，Ｓ′）の手前に搬入推進装置（１４，２１）が配置され、貯蔵器（Ｓ，Ｓ′）の後に搬出推進装置（１５，２２）が配置されることを特徴とする装置。
【請求項９】
検出装置（１８，２３）が表紙（３，３′，３″）を識別するための貯蔵器（Ｓ，Ｓ′）の手前に配置されたレーザ装置を備え、それによって表紙（３，３′，３″）の識別指標をそれぞれ読み取り、対応する信号を制御装置（３２）に伝送し得ることを特徴とする請求項８記載の装置。
【請求項１０】
表紙（３，３′，３″）を給入するための搬入推進装置（１４，２１）および／または表紙（３，３′，３″）を取り出すための搬出推進装置（１５，２２）が伸縮式に形成されることを特徴とする請求項８または９記載の装置。
【請求項１１】
貯蔵器（Ｓ）は回転ポケットとして形成することを特徴とする請求項８または９記載の装置。
【請求項１２】
ポケット（１０）はいずれも搬入推進装置（１４）と搬出推進装置（１５）の間で移動可能であることを特徴とする請求項１１記載の装置。
【請求項１３】
ポケット（１０）はいずれも表紙を保持するための手段を備えていることを特徴とする請求項８ないし１２のいずれかに記載の装置。
【請求項１４】
各ポケット（２４）は実質的に前後、左右、あるいは上下の関係で直線的に配置されることを特徴とする請求項８ないし１０のいずれかに記載の装置。
【請求項１５】
印刷機（３１）、特にデジタル印刷機を備え、その中で表紙（３，３′，３″）を印刷し貯蔵器（Ｓ，Ｓ′）に供給することを特徴とする請求項８ないし１４のいずれかに記載の装置。
【請求項１６】
少なくとも１つのフィーダ（３３，３９）を備え、それによって表紙（３，３′，３″）を貯蔵器（Ｓ，Ｓ′）に給入することを特徴とする請求項８ないし１５のいずれかに記載の装置。
【請求項１７】
フィーダ（３９）は複数紙フィーダであることを特徴とする請求項１６記載の装置。
【請求項１８】
並列あるいは直列に配置された少なくとも２つの貯蔵器（Ｓ，Ｓ′）を備えることを特徴とする請求項８ないし１７のいずれかに記載の装置。
【請求項１９】
制御装置（３２）が表紙（３，３′，３″）の検出に基づいて１つあるいは複数の中本（２）の印刷タスクを付勢し得ることを特徴とする請求項８ないし１８のいずれかに記載の装置。
【発明の詳細な説明】
【技術分野】
【０００１】
この発明は、中本と表紙が別々の経路で供給されそこで各表紙が背部領域で１つの中本と結合される加工装置を設ける、中本と表紙とからなる印刷製品を製造する方法に関する。
【背景技術】
【０００２】
前述した種類の方法および装置の一例が欧州特許出願公開第１１９９１８７号明細書によって知られている。これにおいて加工装置は回転テーブルとして形成された無線綴じ機である。この回転テーブル上で中本が加工、例えば切削、裁断、および糊付けされる。加工し表紙を付ける中本が入力ステーションに給入される。この入力ステーションは、無線綴じ機が動作可能状態でない際に中本を抑止するための緩衝器を備えている。この際中本列の順序が変更される。
【０００３】
別のステーションには表紙が給入される。製造中にしばしば、検査のために無線綴じ機への搬送路から１冊の中本が取り出され後に再び載置される。このことおよび緩衝器内における順序変更の結果、表紙を順序通りに正確に保持できない可能性がある。書籍の製造においては最少限の発行部数またはわずか一冊の見本を求められることがある。このことは紙葉の逐次的製造をすることができるデジタル印刷機によって問題無く可能になる。それによって、異なったフォーマットを有することもあり得る異なった表紙を連続して製造することができる。
【０００４】
【特許文献１】欧州特許出願公開第１１９９１８７号明細書
【発明の開示】
【発明が解決しようとする課題】
【０００５】
従って本発明の目的は、前述した問題点を解決することができる冒頭に述べた種類の方法ならびに装置を提供することである。本発明に係る方法ならびに装置は、最少発行部数ならびに僅か１冊の見本でも高い生産性で低コストな製造を可能にするものである。
【課題を解決するための手段】
【０００６】
前記の課題は本発明に係る方法によって、表紙が加工装置への搬送路上において複数のポケットを有する貯蔵器のそれぞれ特定のポケットに制御して給入され、ここで１つのポケット内には１部の表紙のみが給入されることによって解決される。この制御は、加工装置の手前で中本が順序変動した場合においても各中本に所定の表紙が装着されるように実施される。それによって最少発行部数あるいは１冊の発行においても自動的かつ高効率な生産が可能となる。中本はいつでも検査のために取り出しまた後に再び挿入することができる。中本および表紙がそれぞれ識別かつ制御して加工装置に給入されるため、各中本にそれぞれ所定の表紙が装着されることが保証される。表紙と中本の識別は多様な方式によってまたは仮想的に行うことができる。本発明の利点は、制御工学的に見て比較的簡便に達成可能である点である。
【０００７】
本発明の一追加構成によれば、貯蔵器が複数のポケットを有しており、表紙は精密な位置をもってポケット内に割り当てられる。従って制御装置はいずれの時点においてもどのポケットにどの表紙が存在しているかを認識する。そのため高知能な制御によって極めて効率的にスペースを管理することが可能になる。また、制御機構はどの中本にも割り当てられていない表紙をどの時点で排除しまたその後再び給入されるかを決定することができる。従って、生産中に加工装置の入力部分上で１つの中本が確認されると、制御機構はそれに割り当てられた表紙を要求し、その表紙が貯蔵器から加工装置に供給される。それによって綴付け工程に際して中本が所定の表紙と統合されることが保証される。
【０００８】
本発明の追加構成によって表紙がそれぞれ指標、例えばバーコードあるいはトランスポンダを備えることができる。バーコードに代えて視覚的には確認不可能で例えばＵＶ照射線によって確認可能な、その他の適宜な指標を備えることができる。
【０００９】
表紙上の指標に基づいて印刷機内における中本の印刷を付勢することが可能である。
【００１０】
本発明の一追加構成によれば、ポケットが搬入装置と搬出装置との間で移動することが可能である。そのためポケットは例えば軸周りで揺動あるいは回転可能とすることができる。それによって貯蔵器を極めて効率的に利用し、空のポケットに極めて簡便かつ迅速に補填を行うことが可能になる。
【００１１】
本発明の一追加構成によれば、ポケットは共通の軸周りで回転可能とされる。貯蔵器は回転ポケットとして形成することが好適であり、それによって極めて小型で省スペースな貯蔵あるいはポケットの配置が可能になる。
【００１２】
本発明のその他の特徴および種々の利点は、以下の詳細な説明および添付図面、ならびに従属請求項によって明らかにされる。
【発明を実施するための最良の形態】
【００１３】
次に本発明の実施例につき添付図面を参照しながら以下詳細に説明する。
【００１４】
図１に示された装置１は、例えば欧州特許出願公開第１１９９１８７号明細書に記載されているように、特に無線綴じ機として形成された加工装置４を備えている。この無線綴じ機はターンテーブルとして形成することができるが、例えば直線的なステーション配列等のその他の構成とすることもできる。この加工装置４内において中本２のそれぞれ表紙３が装着される。中本２はここでは概略的に示されている中本印刷装置４２によって製造される。中本印刷装置４２は例えばデジタル印刷機とすることが好適であり、それによって印刷物２が順次式に製造される。前後している中本２がその内容ならびにそのフォーマットに関してそれぞれ異なったものであることも可能である。この中本印刷装置４２によって最少発行部数ならびに単一の発行物を製造することができる。
【００１５】
中本２は加工装置４の第１の入力ステーション５に給入される。この搬入は、ここには図示されていない一般的な搬送装置、例えば搬送ベルトによって行われる。第１の入力ステーション５は、中本２を個別に認識することができる検出装置７を備えている。この検出装置７は、例えば既知のレーザ装置と適宜なセンサを備えることができる。検出指標は例えばここでは図示されていない中本２上に設けられたバーコードとすることができる。バーコードに代えてその他の指標を設けることもできる。これは視覚的には認識不可能なものとすることもできる。中本の識別情報は制御装置３２に伝送され、これは中本印刷装置４２、第１の入力ステーション５、ならびに加工装置４と結合されている。この制御装置３２はいずれの時点においてもどの中本２が加工装置４に給入されているかを認識している。
【００１６】
それぞれ１つの中本２と結合される表紙３は、加工装置４の第２の入力ステーション６に供給される。この第２の入力ステーション６は図４により詳細に示されている回転ポケット９を備えることができる。これは軸１２周りで回転可能に枠台８上に取り付けられている。この回転ポケット９は、図示されていない駆動機構によって矢印１３に従って両方向に制御される。この回転は、貯蔵器Ｓとも結合されている制御装置３２によって制御される。回転ポケット９は多数、例えば３０個のポケット１０を備え、それらがいずれも２つのハッチ１１を備えている。このハッチ１１は可動式になっており、従ってポケット１０が表紙３を収容するために開閉することができる。表紙３はポケット１０内に向かって半径方向に挿入されることが好適である。しかしながら、例えば軸方向の挿入も可能である。ポケット１０は、例えば把持装置等のその他の適宜な手段によって代替することもできる。ポケット１０内には表紙３を固定あるいは位置決めするための手段を設けることができる。
【００１７】
入力ステーション６は搬入推進手段１４と搬出推進手段１５を備えている。これらの両方の装置１４および１５も制御装置３２によって制御される。搬入推進装置１４はベルト１６を備えており、それによって表紙３を把持してそれぞれ精密な位置をもってポケット１０内に挿入することができる。推進のためのベルト１７を備えている搬出推進装置１５を使用して、所要の表紙３をいずれもポケット１０から取り出して矢印２０の方向の加工装置４に給入する。この搬出推進装置１５も制御装置３２によって制御される。矢印１９は、表紙３を貯蔵器Ｓに向かって給入する方向を示している。給入の手前領域、好適には搬入推進装置１４の領域内に検出装置１８が設けられており、それによって搬入される表紙３が識別される。この識別は、既知の方式によって例えば図示されていないレーザ装置を使用して実施される。表紙３は識別のためにそれぞれ指標、例えばバーコードあるいはその他の適宜な可視あるいは不可視の指標を備えている。検出装置１８は制御装置３２と結合されており、従ってこれがいずれの時点においてもどの表紙３が貯蔵器Ｓに給入されまたどのポケット１０内にこの表紙３が給入されるかを認識する。すなわち制御装置３２は常に貯蔵器Ｓの占有状況に関して情報を得ている。制御装置３２はさらにどのポケット１０が空いているかについて認識する。
【００１８】
第２の入力ステーション６は図１に示されているように唯１つの回転ポケット９を備えている。しかしながら、第２の入力ステーション６が複数の回転ポケット９を備えている実施形態も可能である。それらは互いに直列あるいは並列に配置することができる。
【００１９】
第２の入力ステーション６の手前に加工ステーション、例えば貼合せローラ３０を備えた貼合せ装置２９を配置することができる。貼合せ装置２９内で表紙３を貼合せることができる。図１には３つの異なった表紙３，３′および３″が図示されている。表紙３，３′および３″は、形式、印刷方式、その他の点に関して異なったものとすることができる。貼合せ装置２９は、表紙３を加工するためのその他の適宜なステーションによって代替することができる。また貼合せ装置２９を省略して表紙３を加工せずに貯蔵器Ｓに供給する構成も可能である。
【００２０】
表紙３はデジタル印刷機３１内で印刷される。印刷機３１は制御装置３２と結合されている。この制御装置３２は印刷機３１の制御装置とすることもできる。他方、印刷機３１の操作は、図示されていない表示手段と入力手段を備えた付属装置４１上で行うこともできる。従って付属装置４１上で命令を入力し実行を監視することができる。印刷機３１は、表紙３，３′および３″を逐次的に製造することができるデジタル印刷機とすれば好適である。他方印刷機３１は原則的に、例えばオフセット印刷機等の従来の印刷機とすることも可能である。
【００２１】
印刷機３１内で印刷される表紙３，３′および３″は、貯蔵器Ｓのポケット１０内に分配される。この貯蔵器Ｓは制御装置３２によって管理され、この制御装置は前述したようにどのポケット１０にどの表紙３，３′または３″が収容されているかを常に認識している。制御装置３２は貯蔵器Ｓのスペースが常に最も効率的に使用されていることを保証する。制御装置３２は、どの中本２にも割り当てられていない表紙３，３′または３″がどの時点で貯蔵器Ｓから除去されるかあるいは後に再度給入されるかを決定する。生産中に検出装置７上で１つの中本２が認識されると、制御装置３２が該当する表紙３，３′または３″を要求し第２の入力ステーション６がその表紙３，３′または３″を加工装置４に給入する。その後加工装置４内において中本２が該当する表紙３，３′または３″と統合される。表紙３，３′または３″の認識に基づいて１部あるいは複数の中本２の印刷を付勢することも可能である。
【００２２】
貯蔵器Ｓは特定数、例えば３０個の収容スペースを備えることができる。例えば３０冊の書籍を生産するために貯蔵器Ｓには所定部数の表紙３が収容される。ここで検査のために１部の中本２が検出装置７から取り出され中本列の順序に変化が生じ、この中本２が後に再び挿入されることがあり得る。この種の順序変動は緩衝器を使用した場合にも生じ得る。制御設定に従って、加工装置４に供給するために待機している表紙３のうちの１部を除去することができ、それによって後続する別の表紙のために貯蔵器Ｓ内にスペースを提供することができる。この除去は除去ステーション３６上で実施される。その除去ステーション上で表紙３が装着されている印刷製品３７を取り出すこともできる。制御装置３２は、図１に示されているように貯蔵器Ｓおよび貼合せ装置２９とも信号伝送可能に結合されている。排出の後に空のポケット１０，２４に再び装填することが好適であり、ここで新しい表紙が以前のものと同一である必要はない。
【００２３】
図２に示されている装置１は図１のものと比べて第２の入力ステーション６′の構造のみが異なっている。これはフィーダ３３を備えており、それが例えば積載装置４３から表紙３を取り出して貯蔵器Ｓに給入する取出しドラム３４を備えることができる。この場合においても表紙３は検出装置１８によって識別される。積載装置４３内には多数の表紙３を積載することができ、従って高い処理数量ならびに能力が可能になる。この場合も表紙３はデジタル印刷機によって印刷することが好適である。制御は前述した図１の場合と同様に実施される。
【００２４】
図３には、変更された第２の入力ステーション６″を備えた装置１が示されている。この第２の入力ステーション６″において表紙３は複数紙フィーダ３９内に収容される。この複数紙フィーダ３９は上下に重なり実質的にタワー状になっている複数のポケット４０を備えており、それらの中に好適にはいずれも複数の表紙３，３′または３″が収容されている。これらのポケットから表紙３，３′または３″が既知の方式で取り出される。これは例えば図示されていない吸引装置等によって行うことができる。複数紙フィーダ３９も高い処理容量ならびに能力を実現する。どの時点においても必要な表紙３，３′または３″が存在しているかあるいは貯蔵器Ｓに供給可能であることが保証される。
【００２５】
図５にはさらに別の変更された第２の入力ステーション６′′′を備えた装置１が示されている。これは、直線的に配置された複数のポケット２４を有する貯蔵器Ｓ′を備えている。ポケット２４は搬送方向に対して図示されているように傾斜している。各ポケット２４の上方には転轍器２５が配置されており、それが図示されていない２つの姿勢をとり得る。１つの姿勢において表紙３，３′または３″が所定のポケット２４内に転向され、別の姿勢においては表紙３，３′または３″がそのまま搬送される。ポケット２４への表紙３，３′または３″の給入は、図７に示されているように搬入推進装置２１によって実施される。図示されているようにこれは上昇動作するものであり、また上部領域に検出装置２３が配置され、これは表紙３，３′または３″を識別するように作用し、その機能および構造は前述したものと同様に構成することができる。搬入推進装置２１への表紙３，３′または３″の入力方向は、図７中に矢印２６によって示されている。加工装置４のランプ３５への表紙３，３′または３″の搬送は搬出推進装置２２によって実施され、これは表紙３，３′または３″を矢印２７に従って水平方向に搬送する。貯蔵器Ｓ′はポケット２４と搬入推進装置２１と搬出推進装置２２を支承するために枠台２８を備えている。この場合においても貯蔵器Ｓ′は制御装置３２によって制御される。このことは転轍器２５、搬入推進装置２１、ならびに搬出推進装置２２の全てに関しても同様である。貯蔵器Ｓ′内の表紙３，３′または３″の制御は原則的に前述した貯蔵器Ｓの場合と同様である。従ってこの場合も制御装置３２は、どのポケット２４内にどの表紙３，３′または３″が収容されているかを常に認識している。
【００２６】
図６にはさらに別の変更された第２の入力ステーション６ＩＶを備えた装置１が示されている。この場合貯蔵器Ｓ′の手前に既に図２に関して記述したフィーダ３３が設けられている。このフィーダ３３によって同様に積載装置４３から表紙３，３′または３″が取り出され貯蔵器Ｓ′に給入される。フィーダ３３に代えて複数紙フィーダ３９を選択的に設けることができる。ここで貼合せ装置２９またはその他の加工装置をフィーダ３３と入力ステーション６ＩＶの間に配置することができる。
【図面の簡単な説明】
【００２７】
【図１】本発明に係る装置を概略的に示した立体図である。
【図２】本発明に係る装置の変更例を概略的に示した立体図である。
【図３】本発明に係る装置の別の変更例を概略的に示した立体図である。
【図４】搬入部と搬出部を備えた貯蔵器を概略的に示した立体図である。
【図５】本発明に係る装置の別の変更例を概略的に示した立体図である。
【図６】本発明に係る装置の別の変更例を概略的に示した立体図である。
【図７】搬入部と搬出部を備えた貯蔵器の変更例を概略的に示した立体図である。
【符号の説明】
【００２８】
１  装置
２  中本
３，３′，３″  表紙
４  加工装置
５，６  入力ステーション
７  検出装置
９  回転ポケット
１０，２４，４０  ポケット
１４，２１  搬入推進装置
１５，２２  搬出推進装置
１６，１７  ベルト
１８，２３  検出装置
２５  転轍器
２９  貼合せ装置
３０  貼合せローラ
３１  印刷機
３２  制御装置
３３  フィーダ
３６  除去ステーション
３９  複数紙フィーダ
４１  付属装置
４３  積載装置
【図１】
2008023996.tif 000003
【図２】
2008023996.tif 000004
【図３】
2008023996.tif 000005
【図４】
2008023996.tif 000006
【図５】
2008023996.tif 000007
【図６】
2008023996.tif 000008
【図７】
2008023996.tif 000009